(57)【要約】【課題】  眼鏡の装着性を改善し、また眼鏡の装着時にも毛髪やフケの落下をより確実に防止し得る構造の衛生キャップを提供する。【解決手段】  装着者の毛髪及び両耳を覆うと共に、顔面を露出する開口縁を設けた衛生キャップにおいて、前記開口縁の両こめかみ部近辺に眼鏡のつるをキャップ内に導入可能な環状のつる挿入部を設けてなる。開口縁の額部から両こめかみ部近辺にかけて伸縮性を有する汗取り用の帯状布を縫合すると共に、該帯状布の両端につる挿入部を設ける。つる挿入部は帯状布の両端に伸縮性を有する布片を環状に縫合、帯状布の両端を折り返して環状に縫合、または開口縁に伸縮性を有する布片を環状に縫合してなる。さらに、開口縁は弾性帯からなる。また、開口縁に庇を設けてなる。【選択図】        図１
2005171441.tif 000002
【特許請求の範囲】
【請求項１】
装着者の毛髪及び両耳を覆うと共に、顔面を露出する開口縁を設けた衛生キャップにおいて、前記開口縁の両こめかみ部近辺に眼鏡のつるをキャップ内に導入可能な環状のつる挿入部を設けたことを特徴とする衛生キャップ。
【請求項２】
開口縁の額部から両こめかみ部近辺にかけて伸縮性を有する汗取り用の帯状布を縫合すると共に、該帯状布の両端につる挿入部を設けた請求項１記載の衛生キャップ。
【請求項３】
つる挿入部は帯状布の両端に伸縮性を有する布片を環状に縫合してなる請求項２記載の衛生キャップ。
【請求項４】
つる挿入部は帯状布の両端を折り返して環状に縫合してなる請求項２記載の衛生キャップ。
【請求項５】
つる挿入部は開口縁に伸縮性を有する布片を環状に縫合してなる請求項１記載の衛生キャップ。
【請求項６】
開口縁は弾性帯からなる請求項１から５のうち何れか一項記載の衛生キャップ。
【請求項７】
開口縁に庇を設けてなる請求項１から６のうち何れか一項記載の衛生キャップ。
【発明の詳細な説明】
【技術分野】
【０００１】
この発明は、食品工場や製薬工場などのように衛生上の注意を払う必要がある場所、あるいは半導体製造ラインなどのように塵の飛散を回避する必要がある場所において、毛髪やフケの落下を防止するための衛生キャップに係り、より詳しくは、眼鏡の装着性を改善し、また眼鏡の装着時にも毛髪やフケの落下をより確実に防止し得る構造に関するものである。
【背景技術】
【０００２】
従来から、装着者の頭頂部、後頭部および両耳を覆うと共に、顔面を露出する開口縁を設けた衛生キャップであって、このキャップに左右一対の眼鏡のつる挿入部またはつる杆掛け部材片を設けた衛生キャップは公知である（例えば、特許文献１、２、３を参照）。
【０００３】
【特許文献１】特開平８−１５８１３４号公報
【特許文献２】特開２００２−１６１４２４号公報
【特許文献３】実用新案登録第３０６４３６８号公報
【発明の開示】
【発明が解決しようとする課題】
【０００４】
しかしながら、これら文献に開示された衛生キャップの何れもが、つる挿入部またはつる杆掛け部材片をキャップの側頭部に形成したものであるため、鏡を見て眼鏡を装着する場合でも前面からつる挿入部の位置を視認しづらく、装着性が悪いという課題があった。
【０００５】
また、特許文献１、２に開示の衛生キャップでは、キャップの側頭部にスリットを設け、これをつる挿入部としていたが、該スリットは何ら伸縮性がないため、開口状態となり易く、毛髪やフケが落下する危険性が高いと共に、つるとの密着性にも欠け、眼鏡を取り外すときにはつるのふき取り効果が発揮されず、つると一緒に毛髪やフケが落下する危険性が高かった。
【０００６】
なお、特許文献３に開示の衛生キャップは、キャップの外側に両耳に近接してつる杆掛け部材片を設けたものであるから、該部材片の厚みだけ外音の通りが悪くなり、装着者の聴力に悪影響を及ぼすという致命的な課題がある。
【０００７】
本発明は上述した課題を解決するためになされたものであり、その目的とするところは、眼鏡の装着性を改善し、また眼鏡の装着時にも毛髪やフケの落下をより確実に防止し得る構造の衛生キャップを提供することである。
【課題を解決するための手段】
【０００８】
上述した目的を達成するために本発明では、装着者の毛髪及び両耳を覆うと共に、顔面を露出する開口縁を設けた衛生キャップにおいて、前記開口縁の両こめかみ部近辺に眼鏡のつるをキャップ内に導入可能な環状のつる挿入部を設けるという手段を用いた。この手段によれば、つる挿入部がキャップのこめかみ近辺に位置して、鏡を見たときに前面から視認し易い。また、眼鏡のつるは該つる挿入部を介してキャップ内に導入され、装着者の耳に直接掛けられるため、装着感も良好である。
【０００９】
また、開口縁の額部から両こめかみ部近辺にかけて伸縮性を有する汗取り用の帯状布を縫合すると共に、該帯状布の両端につる挿入部を設けるという手段にあっては、帯状布によって汗を吸湿するという作用を行う。この構成では、例えば、帯状布の両端に別の伸縮性を有する布片を環状に縫合したり、帯状布の両端を折り返して環状に縫合することによってつる挿入部を形成することができるが、このときのつる挿入部は伸縮性を有する帯状布またはこれと布片によってその開口（未縫合部分）が常時閉塞する構造となるから、眼鏡を未装着であっても該つる挿入部から毛髪やフケが落下することを防止できる。また、つるとの密着性も有するから、眼鏡を外す際も、つるのふき取り作用も発揮される。
【００１０】
なお、つる挿入部は開口縁に直接伸縮性を有する布片を環状に縫合して形成しても、その視認性等について、上述したと同様の作用を得ることができる。
【００１１】
さらに開口縁を弾性帯から構成すれば、その伸縮性により装着者の顔面との密着性が高まり、つる挿入部以外の部分からも毛髪やフケの落下を確実に防止することができる。
【発明の効果】
【００１２】
このように本発明では、装着者の毛髪及び両耳を覆うと共に、顔面を露出する開口縁を設けた衛生キャップにおいて、前記開口縁の両こめかみ部近辺に眼鏡のつるをキャップ内に導入可能な環状のつる挿入部を設けたので、つる挿入部の位置を鏡を見たときに前面から視認し易く、装着性が改善される。
【００１３】
また、開口縁の額部から両こめかみ部近辺にかけて伸縮性を有する汗取り用の帯状布を縫合したので、帯状布によって汗が吸湿され、高温高湿等の環境でも額から汗が垂れることなく、作業に集中することができる。また、帯状布の両端に別の伸縮性を有する布片を環状に縫合するか、帯状布の両端を折り返して環状に縫合することによってつる挿入部を形成した場合には、その伸縮性により開口が常時閉塞されるから、眼鏡を未装着であってもつる挿入部から毛髪やフケが落下することがなく、さらに、該つる挿入部によってつるのふき取り作用も発揮されるから、仮に作業中に眼鏡を外す場合であっても、つるに付着した毛髪やフケが外部に吐き出されることはない。なお、キャップの開口縁に直接伸縮性を有する布片を環状に縫合することによってつる挿入部を形成した場合も、視認性や衛生性について、これと同様の効果を得ることができる。
【００１４】
さらにまた、開口縁を弾性帯から構成するようにしたので、その伸縮性により装着者の顔面との密着性が高まり、つる挿入部以外の部分からも毛髪やフケの落下を確実に防止することができる。
【発明を実施するための最良の形態】
【００１５】
以下、本発明の好ましい実施の形態を添付した図面に従って説明する。図１は、本発明の一実施形態に係る衛生キャップの正面図である。図中、１は不織布や布帛などからなるキャップ主体であり、装着者の頭頂部、後頭部および両耳を覆い、少なくとも毛髪部分を被包するように構成される。２は伸縮自在のゴム紐を周囲に縫合した開口縁、３は開口縁２の額部から両こめかみ部にかけて縫合されたパイル生地等、伸縮性を有する帯状布であって、汗などの吸湿作用を有する。そして、４・４が眼鏡のつる挿入部であって、帯状布３の両端に環状に設けられたものである。
【００１６】
このように本発明において眼鏡のつる挿入部４・４は、開口縁２の内側に位置して、こめかみ部からキャップ内部に眼鏡のつるを導入して装着者の両耳につるを直接掛けられ、且つ、正面から視認できる部分に形成される。
【００１７】
図２は、つる挿入部４の具体的構成例を示したもので、（ａ）に示したものは汗取り用帯状布３の両端を輪状に折り返して縫合することにより、その未縫合部分をつる挿入部４とし、また（ｂ）に示したものは汗取り用帯状布３の両端に別の伸縮性を有する布片５を環状に縫合することにより、その未縫合部分をつる挿入部４とし、さらに（ｃ）に示したものは開口縁２に直接伸縮性を有する帯状布を環状に縫合することにより、その未縫合部分をつる挿入部４としたものである。このように構成されたつる挿入部４は、図面では説明の便宜上、未縫合部分を開口した状態に示しているが、実際上、帯状布３、布片５または開口縁２の伸縮性により常時弾性的に閉塞された状態にある。従って、眼鏡を装着しない状態でも、つる挿入部４から毛髪やフケ等が落下することはなく、また、上述のように弾性的に閉塞された状態にあるつる挿入部４はつるとの密着性が高く、眼鏡を外す際、つるの拭き取り効果も発揮する。さらに、一定幅を有する帯状布３・布片５によってつる挿入部４を構成することによって、その幅に見合った分だけ、つるを抱持するから、つるの支持力も高まり、さらに上記拭き取り効果も向上させることができる。
【００１８】
なお、図１において、６は任意で設けられる庇であって、その他、図示しないが、装着者の首回りから肩を覆うスカート状のケープ布を設けることも任意である。また、本体１の頭頂部を通気確保のためのメッシュ地とすることもある。
【図面の簡単な説明】
【００１９】
【図１】本発明の一実施形態に係る衛生キャップの正面図
【図２】図１のつる挿入部の構成例を示した拡大説明図
【符号の説明】
【００２０】
１  キャップ本体
２  開口縁
３  帯状布
４  つる挿入部
５  別の布片
６  庇
【図１】
2005171441.tif 000003
【図２】
2005171441.tif 000004